(57)【要約】【課題】メンテナンスを省いて長期間使用できる引戸連動装置を提供する。【解決手段】２枚の引戸Ａ，Ｂを連動して開閉可能とした引戸連動装置に於て、上枠に開閉移動自在に吊り下げた引戸Ａ，Ｂの各々に固着したラック２Ａ，２Ｂと、ラック２Ａ，２Ｂに噛合して引戸Ａ，Ｂの走行代を差動しつつ連動させると共に上枠側の所定固定位置に回転自在に設けられた歯車群１０と、を具備している。【選択図】図１
2011236694.tif 000002
【特許請求の範囲】
【請求項１】
２枚の引戸（Ａ）（Ｂ）を連動して開閉可能とした引戸連動装置に於て、
上枠（Ｆ）に開閉移動自在に吊り下げた引戸（Ａ）（Ｂ）の各々に固着したラック（２Ａ）（２Ｂ）と、該ラック（２Ａ）（２Ｂ）に噛合して上記引戸（Ａ）（Ｂ）の走行代を差動しつつ連動させると共に上記上枠（Ｆ）側の所定固定位置に回転自在に設けられた歯車群（１０）と、を具備することを特徴とする引戸連動装置。
【請求項２】
２枚の引戸（Ａ）（Ｂ）を連動して開閉可能とした引戸連動装置に於て、
上枠（Ｆ）に開閉移動自在に吊り下げた引戸（Ａ）（Ｂ）の各々に固着したラック（２Ａ）（２Ｂ）と、該ラック（２Ａ）（２Ｂ）に噛合して上記引戸（Ａ）（Ｂ）の走行代を差動しつつ連動させると共に上記上枠（Ｆ）側の所定固定位置に回転自在に設けられた歯車群（１０）と、を具備し、
該歯車群（１０）は、一のラック（２Ｂ）に噛合する平歯車（１２）と、該平歯車（１２）の１／２倍の歯数を有すると共に該平歯車（１２）に噛合する小ギヤ部（１６）と該平歯車（１２）と同じ歯数を有する大ギヤ部（１７）とを備える２段ギヤ（１１）と、該大ギヤ部（１７）及び上記平歯車（１２）と同じ歯数を有するスペア歯車（１３）と、上記２段ギヤ（１１）と上記スペア歯車（１３）とを連動軸（１８）を介して連動させる複数のベベルギヤ部材（１４）（１５）と、を備え、上記大ギヤ部（１７）と上記スペア歯車（１３）のうち少なくとも一方が他のラック（２Ａ）と常時噛合状態を保持するように配設したことを特徴とする引戸連動装置。
【請求項３】
上記歯車群（１０）は、ユニット化して上記上枠（Ｆ）に取着可能とした請求項１又は２記載の引戸連動装置。
【発明の詳細な説明】
【技術分野】
【０００１】
本発明は、引戸連動装置に関する。
【背景技術】
【０００２】
従来、ワイヤを用いた引戸連動装置を備える２連式連動引戸が提案されている（特許文献１参照）。
【先行技術文献】
【特許文献】
【０００３】
【特許文献１】特開２００６−２３３５９７公報
【発明の概要】
【発明が解決しようとする課題】
【０００４】
しかし、従来の引戸連動装置は、ワイヤが弛んで離脱する虞れがあり、故障が頻発するという欠点があった。また、故障を防止するために定期的にワイヤの張りを調整するメンテナンスが必要であった。このようなメンテナンスは、厄介な作業であり、多大な手間と時間を浪費していた。
【０００５】
そこで、本発明は、メンテナンスを省いて長期間使用できる引戸連動装置を提供することを目的とする。
【課題を解決するための手段】
【０００６】
本発明は、２枚の引戸を連動して開閉可能とした引戸連動装置に於て、上枠に開閉移動自在に吊り下げた引戸の各々に固着したラックと、該ラックに噛合して上記引戸の走行代を差動しつつ連動させると共に上記上枠側の所定固定位置に回転自在に設けられた歯車群と、を具備するものである。
【０００７】
また、２枚の引戸を連動して開閉可能とした引戸連動装置に於て、上枠に開閉移動自在に吊り下げた引戸の各々に固着したラックと、該ラックに噛合して上記引戸の走行代を差動しつつ連動させると共に上記上枠側の所定固定位置に回転自在に設けられた歯車群と、を具備し、該歯車群は、一のラックに噛合する平歯車と、該平歯車の１／２倍の歯数を有すると共に該平歯車に噛合する小ギヤ部と該平歯車と同じ歯数を有する大ギヤ部とを備える２段ギヤと、該大ギヤ部及び上記平歯車と同じ歯数を有するスペア歯車と、上記２段ギヤと上記スペア歯車とを連動軸を介して連動させる複数のベベルギヤ部材と、を備え、上記大ギヤ部と上記スペア歯車のうち少なくとも一方が他のラックと常時噛合状態を保持するように配設したものである。
また、歯車群は、ユニット化して上記上枠に取着可能としたものである。
【発明の効果】
【０００８】
本発明の引戸連動装置によれば、ラックと歯車群が確実に噛合して引戸を連動させるため、故障耐久性を向上できる。よって、面倒なメンテナンスを省略できる。
【図面の簡単な説明】
【０００９】
【図１】本発明の引戸連動装置の使用状態を示した簡略平面図である。
【図２】引戸連動装置の使用状態を示した簡略平面図である。
【図３】引戸連動装置の使用状態を示した簡略平面図である。
【図４】本発明の実施の一形態を示した要部断面平面図である。
【図５】引戸連動装置を示した要部断面正面図である。
【図６】引戸連動装置を示した要部断面側面図である。
【発明を実施するための形態】
【００１０】
以下、実施の形態を示す図面に基づき本発明を詳説する。
図１〜図３に於て、本発明の引戸連動装置を用いて２枚の引戸Ａ，Ｂを連動して開閉可能な連動引戸１を示している。連動引戸１は、住宅、ビル、倉庫、物置等の出入口Ｇに設置され、戸袋に収納された引戸Ａを引出す方向に移動させると、引戸Ｂが連動して引き出されるように構成されている。引戸Ａには、開閉操作を行なうためのハンドルＥが設けられている。引戸Ａの幅寸法ＷＡ及び引戸Ｂの幅寸法ＷＡは、出入口Ｇの幅寸法Ｗの約１／２倍の寸法に設定されており、出入口Ｇの幅寸法Ｗに対して引戸Ａ，Ｂを収納する戸袋の幅寸法が約半分程度に小さく済むという利点がある。
本発明の引戸連動装置は、出入口Ｇの天井側に開閉移動自在に吊り下げた引戸Ａ，Ｂの各々に固着したラック２Ａ，２Ｂと、ラック２Ａ，２Ｂに噛合して引戸Ａ，Ｂの走行代を差動しつつ連動させると共に天井側の所定固定位置に回転自在に設けられた歯車群１０と、を具備している。
【００１１】
具体的には、図４〜図６に示すように、歯車群１０は、引戸Ｂのラック２Ｂに噛合する平歯車１２と、平歯車１２に噛合する小ギヤ部１６と引戸Ａのラック２Ａに噛合可能な大ギヤ部１７とを備える２段ギヤ１１と、２段ギヤ１１とは離れた所定位置に配設され大ギヤ部１７とは別の部位で引戸Ａのラック２Ａに噛合可能なスペア歯車１３と、２段ギヤ１１とスペア歯車１３とを連動軸１８を介して連動させる複数のベベルギヤ部材１４，１５と、を天井側の上枠Ｆに回転自在に設けている。２段ギヤ１１の大ギヤ部１７とスペア歯車１３のうち少なくとも一方が、引戸Ａのラック２Ａと常時噛合状態を保持するように配設している。
２段ギヤ１１は、小ギヤ部１６を平歯車１２の１／２倍の歯数に設定し、大ギヤ部１７を平歯車１２と同じ歯数（小ギヤ部１６の２倍の歯数）に設定している。２段ギヤ１１は、所定固定位置にて第１鉛直軸心Ｖ１廻りに回転自在に枢着されている。
平歯車１２は、所定固定位置にて第２鉛直軸心Ｖ２廻りに回転自在に枢着され、ラック２Ｂと２段ギヤ１１の小ギヤ部１６と常時噛合している。
つまり、２段ギヤ１１の回転数Ｎ１に対して、平歯車１２の回転数Ｎ２が１／２倍になるように減速している。従って、引戸Ａ及び引戸Ｂは、ラック２Ａの移動寸法ＤＡに対して、ラック２Ｂの移動寸法ＤＢが１／２倍として走行代を差動しつつ連動している。
【００１２】
スペア歯車１３は、大ギヤ部１７及び平歯車１２と同じ歯数を有し、第１鉛直軸心Ｖ１から長さ寸法Ｌをもって離れた所定固定位置に配設される第３鉛直軸心Ｖ３廻りに回転自在に枢着されている。長さ寸法Ｌは、引戸Ａの幅寸法ＷＡよりも小さく設定している。ラック２Ａの移動寸法ＤＡに対するスペア歯車１３の回転数Ｎ３は、２段ギヤ１１の回転数Ｎ１と同一となっている。
ベベルギヤ部材１４，１５は、互いに直交する２つの軸心廻りに回転する一対のかさ歯車から構成されている。一方のベベルギヤ部材１４は、２段ギヤ１１と同軸状に軸着され第１鉛直軸心Ｖ１廻りに回転するかさ歯車１４ａと、連動軸１８に枢着され水平軸心Ｈ廻りに回転自在のかさ歯車１４ｂとを、有している。他方のベベルギヤ部材１５は、スペア歯車１３と同軸状に軸着され第３鉛直軸心Ｖ３廻りに回転するかさ歯車１５ａと、連動軸１８に枢着され水平軸心Ｈ廻りに回転自在のかさ歯車１５ｂとを、有している。連動軸１８にて同軸連結されるかさ歯車１４ｂ，１５ｂは、２つのベベルギヤ部材１４，１５を連動している。
つまり、２段ギヤ１１とスペア歯車１３は、同期的に連動して回転するように構成している。
【００１３】
また、歯車群１０は、ユニット化して上枠Ｆに取着可能として構成されている。具体的には、横長のケーシング２０の下方に、平歯車１２と、２段ギヤ１１と、スペア歯車１３とが、突出するように枢着し、ケーシング２０内に、ベベルギヤ部材１４，１５を内設している。歯車群１０は、ケーシング２０により連結一体状のユニットとして上枠Ｆにボルト・ナットで固定されている。
上枠Ｆには、引戸Ａ，Ｂの開閉移動方向に沿ってガイドレール３，３が固着されている。ガイドレール３，３は、吊下部材４，４を介して引戸Ａ，Ｂを吊り下げている。ラック２Ａ，２Ｂは、引戸Ａ，Ｂを支持する各々の吊下部材４，４の内側に固着され、スペーサーＳ，Ｓにて底上げして平歯車１２、２段ギヤ１１及びスペア歯車１３に噛合するように配設されている。なお、上枠Ｆ及び吊下部材４，４が外部から見えないように、カバーＣを設けるも好ましい。
【００１４】
上述した本発明の引戸連動装置の使用方法（作用）について説明する。
図１に示すように、出入口Ｇが開放され引戸Ａ，Ｂが戸袋に収納されている全開状態に於て、引戸Ａのラック２Ａと２段ギヤ１１の大ギヤ部１７とが噛合する。ハンドルＥを持って引戸Ａを引き出していくと、ラック２Ａが２段ギヤ１１に回転力を付与し、２段ギヤ１１の回転数Ｎ１を１／２倍の回転数Ｎ２に減速しつつ小ギヤ部１６から平歯車１２に回転力を伝えて、平歯車１２に噛合するラック２Ｂに移動力を付与し、引戸Ｂが連動して引き出される。
図２に示すように、引戸Ａ，Ｂが出入口Ｇの幅寸法Ｗの途中まで引き出された半開状態に於て、引戸Ａが移動寸法ＤＡまで引き出されると、引戸Ｂは、引戸Ａの移動寸法ＤＡの１／２倍の移動寸法ＤＢだけ引き出される。言い換えると、引戸Ａと引戸Ｂは、２段ギヤ１１及び平歯車１２により２対１の走行代をもって差動しつつ連動して開閉する。この際、ラック２Ａは、大ギヤ部１７に噛合しつつスペア歯車１３に到達して噛合する。つまり、ラック２Ａは、２段ギヤ１１の大ギヤ部１７及びスペア歯車１３の両方に噛合した状態となる。
【００１５】
さらに、図３に示すように、引戸Ａ及び引戸Ｂが出入口Ｇの幅寸法Ｗにわたって引き出された閉鎖状態に於て、引戸Ａのラック２Ａは、大ギヤ部１７との噛合を解除し、スペア歯車１３との噛合状態を保持する。スペア歯車１３は、ベベルギヤ部材１４，１５を介して２段ギヤ１１に回転力を伝達し、平歯車１２を回転させて引戸Ｂのラック２Ｂに移動力を付与し続ける。
このようにして、連動引戸１は、全開状態から閉鎖状態に至るまで、引戸Ａの移動寸法ＤＡと、引戸Ｂの移動寸法ＤＢとを、２対１の関係に保持する。その後、閉鎖状態から全開状態とする際も同様である。
また、歯車群１０とラック２Ａ，２Ｂとの間には、遊びが発生せず、引戸Ａ，Ｂは安定してスムーズに連動し、メンテナンスを必要とすることなく長期間の使用に耐え得る。
【００１６】
なお、本発明は、上述の実施形態に限定されるものではなく、例えば、本発明の要旨を逸脱しない範囲であれば、歯車群１０の配列や配設位置等を設計変更するも自由である。
【００１７】
以上のように、本発明は、２枚の引戸Ａ，Ｂを連動して開閉可能とした引戸連動装置に於て、上枠Ｆに開閉移動自在に吊り下げた引戸Ａ，Ｂの各々に固着したラック２Ａ，２Ｂと、ラック２Ａ，２Ｂに噛合して引戸Ａ，Ｂの走行代を差動しつつ連動させると共に上枠Ｆ側の所定固定位置に回転自在に設けられた歯車群１０と、を具備するので、ラック２Ａ，２Ｂと歯車群１０が確実に噛合して引戸Ａ，Ｂを連動させるため、故障耐久性を向上できる。よって、面倒なメンテナンスを省略できる。
【００１８】
また、２枚の引戸Ａ，Ｂを連動して開閉可能とした引戸連動装置に於て、上枠Ｆに開閉移動自在に吊り下げた引戸Ａ，Ｂの各々に固着したラック２Ａ，２Ｂと、ラック２Ａ，２Ｂに噛合して引戸Ａ，Ｂの走行代を差動しつつ連動させると共に上枠Ｆ側の所定固定位置に回転自在に設けられた歯車群１０と、を具備し、歯車群１０は、一のラック２Ｂに噛合する平歯車１２と、平歯車１２の１／２倍の歯数を有すると共に平歯車１２に噛合する小ギヤ部１６と平歯車１２と同じ歯数を有する大ギヤ部１７とを備える２段ギヤ１１と、大ギヤ部１７及び平歯車１２と同じ歯数を有するスペア歯車１３と、２段ギヤ１１とスペア歯車１３とを連動軸１８を介して連動させる複数のベベルギヤ部材１４，１５と、を備え、大ギヤ部１７とスペア歯車１３のうち少なくとも一方が他のラック２Ａと常時噛合状態を保持するように配設したので、ラック２Ａ，２Ｂと歯車群１０が確実に噛合して引戸Ａ，Ｂを連動させるため、故障耐久性を向上できる。また、全開状態から閉鎖状態に至るまで、引戸Ａの移動寸法ＤＡと、引戸Ｂの移動寸法ＤＢとを、２対１の関係に保持できる。さらに、歯車群１０とラック２Ａ，２Ｂとの間に遊びを発生させず、引戸Ａ，Ｂを安定してスムーズに連動でき、メンテナンスを省略して長期間使用できる。
【００１９】
また、歯車群１０は、ユニット化して上枠Ｆに取着可能としたので、取付が容易であり、かつ、故障耐久性をより一層向上できる。
【符号の説明】
【００２０】
Ｆ  上枠
Ａ，Ｂ  引戸
２Ａ，２Ｂ  ラック
１０  歯車群
１１  ２段ギヤ
１２  平歯車
１３  スペア歯車
１４  ベベルギヤ部材
１５  ベベルギヤ部材
１６  小ギヤ部
１７  大ギヤ部
１８  連動軸
【図１】
2011236694.tif 000003
【図２】
2011236694.tif 000004
【図３】
2011236694.tif 000005
【図４】
2011236694.tif 000006
【図５】
2011236694.tif 000007
【図６】
2011236694.tif 000008